(57)【要約】【課題】ディスクを検出するためのレバー５を有し、しかも振動によりディスク読取り性能が悪化することが防止されるディスク装置のスロットローディング機構を提供する。【解決手段】ディスク挿入路に延びる第１の軸５ａが立設され再生部シャーシ２に回動自在に支持された１対のレバーが前記第１の軸が互いに近寄る方向にばねで回動付勢されており、ディスク挿入時に送りローラで送られるディスクにより前記第１の軸が押され前記ばねの弾力に抗して前記第１の軸が互いに離れる方向に回動するスロットローディング機構において、ディスク挿入が終了したディスククランプ時に前記１対のレバーに設けられた当接面５ｃが前記再生部シャーシ２に設けられた当接面２ｄに前記ばねの弾力により圧接されるように構成した。【選択図】図２
2007242101.tif 000002
【特許請求の範囲】
【請求項１】
ディスク挿入路に延びる第１の軸が立設され再生部シャーシに回動自在に支持された１対のレバーが前記第１の軸が互いに近寄る方向にばねで回動付勢されており、ディスク挿入時に送りローラで送られるディスクにより前記第１の軸が押され前記ばねの弾力に抗して前記第１の軸が互いに離れる方向に回動するスロットローディング機構において、ディスク挿入が終了したディスククランプ時に前記１対のレバーに設けられた当接面が前記再生部シャーシに設けられた当接面に前記ばねの弾力により圧接されるように構成したディスク装置のスロットローディング機構。
【請求項２】
ディスク挿入路に延びる第１の軸が立設され再生部シャーシに回動自在に支持された１対のレバーが前記第１の軸が互いに近寄る方向にばねで回動付勢されており、ディスク挿入時に送りローラで送られるディスクにより前記第１の軸が押され前記ばねの弾力に抗して前記第１の軸が互いに離れる方向に回動すると共に、前記１対のレバーに夫々連結部材が回動自在に連結されており、前記連結部材同士が第２の軸により回動自在に連結され前記第２の軸が前記再生部シャーシに設けられたガイド溝に案内されて移動し、前記１対のレバーのディスク挿入時の最大回動角の差により挿入されるディスクのサイズを認識するディスク装置のスロットローディング機構において、ディスク挿入が終了したディスククランプ時に前記１対のレバーに設けられた当接面が前記再生部シャーシに設けられた当接面に前記ばねの弾力により圧接されるように構成したディスク装置のスロットローディング機構。
【請求項３】
前記１対のレバーに前記再生部シャーシと摺接または近接するリブが設けられ再生部シャーシに設けられた前記当接面が再生部シャーシの前記リブと対向する上面と鋭角をなしており、前記当接面が前記１対のレバーに加える力の分力により前記リブが再生部シャーシの前記上面に圧接されるように構成した請求項請求項１または２のスロットローディング機構。
【請求項４】
本体シャーシに弾性体を介して浮動状態に支持された再生部シャーシに前記１対のレバーまたは前記連結部材および送りローラが支持された車載用ディスク装置に適用される請求項１から３のいずれかに記載されたスロットローディング機構。
【請求項５】
前記再生部シャーシおよび前記１対のレバーの少なくとも一方が樹脂製である請求項１から４のいずれかに記載されたスロットローディング機構。
【発明の詳細な説明】
【技術分野】
【０００１】
この発明はディスク装置のスロットローディング機構に関する。
【背景技術】
【０００２】
特開平１０−１１６４５９号公報に開示された車載用ディスクプレーヤのスロットローディング機構を図３〜図１２により説明する。図３は同スロットローディング機構を示す平面図であり、図４は同スロットローディング機構を示す正面図である。図に示す１は本体シャーシであり装置全体を支持する。再生部シャーシ２はダンパー１１、１１…を介して本体シャーシ１に浮動状態に支持されており、ディスクを再生するためのディスクモータやターンテーブルさらに光ピックアップを支持している。再生部シャーシ２はこの機構のディスク位置検出手段であるレバー４、５、連結部材６、６およびマイクロスイッチ作動部材１２を支持している。
【０００３】
送りローラ１０はディスクに圧接され、図示していない駆動機構により回転駆動されディスクをローディングおよびイジェクトする。送りローラ１０はディスク再生時にはディスクから離れた位置に退避される。
【０００４】
レバー４は再生部シャーシ２に回動自在に支持されており、ディスク移動路に延びる軸４ａが立設されている。レバー４には連結部材６の一端が回動自在に連結されている。レバー５は再生部シャーシ２に回動自在に支持されており、ディスク移動路に延びる軸５ａが立設されている。レバー５には連結部材６の一端が回動自在に連結されている。
【０００５】
図６および図７にも詳しく示すように、連結部材６、６の他端はマイクロスイッチ作動部材１２の軸１２ａにより互いに回動自在に連結されている。マイクロスイッチ作動部材１２の軸１２ａおよび軸１２ｂは再生部シャーシ２のガイド溝２ａを挿通している。ガイド溝２ａの両縁には凹み２ｂ、２ｂが形成されている。マイクロスイッチ作動部材１２の軸１２ａがガイド溝２ａに案内されるのでレバー４および５は同期して回動する。
【０００６】
装置の動作を制御するプリント基板３にはマイクロスイッチ７および８が固定されている。マイクロスイッチ７はこの機構の第１の検出手段を構成し、マイクロスイッチ８はこの機構の第２の検出手段を構成する。再生部シャーシ２とマイクロスイッチ作動部材１２との間に掛けられた引張りコイルばね９はマイクロスイッチ作動部材１２を図３に示す矢印方向（ディスクローディング方向）に付勢する。そしてディスクがないときは、マイクロスイッチ作動部材１２はマイクロスイッチ７を作動させる位置にある。
【０００７】
図５に示すように、８ｃｍＣＤ１３または１２ｃｍＣＤ１４がローディング開始位置まで挿入されると、レバー４および５が夫々時計方向および反時計方向に回動され、図６に詳しく示すように、マイクロスイッチ作動部材１２がディスクイジェクト方向に動きマイクロスイッチ７がオフとなることによりディスクのローディング開始位置が検出される。そして、送りローラが駆動されてディスクをローディング方向に送る。
【０００８】
８ｃｍＣＤを送る場合は図８に示すようにレバー４の最大回動位置においてもマイクロスイッチ８は作動されない。８ｃｍＣＤを片側に片寄せて挿入した場合、図９に示すように、軸１２ａがガイド溝２ａに設けた凹み２ｂに入りこむためレバー４および５が回動されなくなり、８ｃｍＣＤはレバー４および５により中央に案内される。８ｃｍＣＤが中央位置に移動すると、送りローラにより再生位置まで送られる。
【０００９】
１２ｃｍＣＤを送る場合は図１０に示すようにレバー４の最大回動位置においてマイクロスイッチ８が作動される。マイクロスイッチ８の作動により、８ｃｍＣＤと１２ＣＤが識別され、夫々のディスクを再生位置に送るために必要なだけ送りローラが駆動される。なお、先に説明したように、レバー４または５が８ｃｍＣＤにより片押しされた場合凹み２ｂの作用により、８ｃｍＣＤがレバー４および５により中央に案内されるので、８ｃｍＣＤがレバーを大きく回動させて１２ｃｍＣＤと誤認識されることはない。
【００１０】
８ｃｍＣＤをイジェクトする場合、レバー４および５が一旦回動され、さらに、元に戻されマイクロスイッチ７がオンとなることによりイジェクストップ位置が検出される。１２ｃｍＣＤをイジェクトする場合、レバー４および５が回動され、マイクロスイッチ８が作動され、さらに、元に戻され図１１に示すようにマイクロスイッチ８がオフとなることによりイジェクストップ位置が検出される。このように、誤動作がなく、製造コストの安いディスク位置検出手段を提供することができる。
【特許文献１】特開平１０−１１６４５９号公報、段落００１２〜段落００２１、図１〜図１０
【発明の開示】
【発明が解決しようとする課題】
【００１１】
上記した特開平１０−１１６４５９号公報に開示された車載用ディスクプレーヤのスロットローディング機構によれば、製造コストが安く、８ｃｍＣＤと１２ｃｍＣＤを識別できるディスク位置検出手段を提供できる。
【００１２】
しかしながら、レバー４、５を回転自在に支持する軸と軸受の間には温度変化による膨脹・収縮を許容するためやクリアランスや製造における寸法公差を許容するクリアランスが必要であり、さらには、連結部材６、６を回動自在に連結する軸とそのガイド溝との間にクリアランスが必要である。また、レバー４、５の回動をスームズに案内するための軸やガイド溝が設けられた場合にもそれらの間にクリアランスが必要となる。
【００１３】
車載用機器等のように機器が振動する場合や、ディスクが高速で回転し、装置が僅かに振動する場合には、上記のクリランスのため上記軸と軸受または軸とガイド溝とが衝突すると、衝突音や衝撃が発生する。この衝撃が再生部シャーシ２を介して光ピックアップに伝わり音飛びが発生したりして、ディスク読取り性能に悪影響を及ぼすという問題があった。
【００１４】
この発明は上記した点に鑑みてなされたものであって、その目的とするところは、ディスクを検出するためのレバーを有し、しかも振動によりディスク読取り性能が悪化することが防止されるディスク装置のスロットローディング機構を提供することにある。
【課題を解決するための手段】
【００１５】
この発明のディスク装置のスロットローディング機構は、ディスク挿入路に延びる第１の軸が立設され再生部シャーシに回動自在に支持された１対のレバーが前記第１の軸が互いに近寄る方向にばねで回動付勢されており、ディスク挿入時に送りローラで送られるディスクにより前記第１の軸が押され前記ばねの弾力に抗して前記第１の軸が互いに離れる方向に回動するスロットローディング機構において、ディスク挿入が終了したディスククランプ時に前記１対のレバーに設けられた当接面が前記再生部シャーシに設けられた当接面に前記ばねの弾力により圧接されるように構成したものである。
【００１６】
また、この発明のディスク装置のスロットローディング機構は、ディスク挿入路に延びる第１の軸が立設され再生部シャーシに回動自在に支持された１対のレバーが前記第１の軸が互いに近寄る方向にばねで回動付勢されており、ディスク挿入時に送りローラで送られるディスクにより前記第１の軸が押され前記ばねの弾力に抗して前記第１の軸が互いに離れる方向に回動すると共に、前記１対のレバーに夫々連結部材が回動自在に連結されており、前記連結部材同士が第２の軸により回動自在に連結され前記第２の軸が前記再生部シャーシに設けられたガイド溝に案内されて移動し、前記１対のレバーのディスク挿入時の最大回動角の差により挿入されるディスクのサイズを認識するディスク装置のスロットローディング機構において、ディスク挿入が終了したディスククランプ時に前記１対のレバーに設けられた当接面が前記再生部シャーシに設けられた当接面に前記ばねの弾力により圧接されるように構成したものである。
【００１７】
また、前記各スロットローディング機構において、前記１対のレバーに前記再生部シャーシと摺接または近接するリブが設けられ再生部シャーシに設けられた前記当接面が再生部シャーシの前記リブと対向する上面と鋭角をなしており、前記当接面が前記１対のレバーに加える力の分力により前記リブが再生部シャーシの前記上面に圧接されるように構成したものである。
【００１８】
また、前記各スロットローディング機構が、本体シャーシに弾性体を介して浮動状態に支持された再生部シャーシに前記１対のレバーまたは前記連結部材および送りローラが支持された車載用ディスク装置に適用されるものである。
【００１９】
また、前記各スロットローディング機構において、前記再生部シャーシおよび前記１対のレバーの少なくとも一方を樹脂製としたものである。
【発明の効果】
【００２０】
この発明のディスク装置のスロットローディング機構によれば、ディスク再生時において、ディスクを検出するレバーのガタツキが抑えられ、振動ノイズの軽減、振動音飛び性能の向上および振動による部品同士の摩耗の軽減が図られる。
【発明を実施するための最良の形態】
【００２１】
以下この発明の実施例を図面により説明する。図１（ａ）はこの発明の実施例である車載用ディスク装置のスロットローディング機構を示す平面図、図１（ｂ）は図１（ａ）のＢ矢視図、図２は図１（ｂ）のＡ部拡大図である。
【００２２】
図１（ａ）に示す樹脂製のレバー４および５は樹脂製の再生部シャーシ２に立設された軸２ｃ、２ｃ回りに回動自在に支持されている。レバー４および５の下面に設けられたリブ４ｄおよび５ｄは夫々再生部シャーシ２に設けられた円弧状のガイド溝２ｆ、２ｆに入り込んでおり、レバー４および５が安定して回動するようになっている。
【００２３】
図１はディスクローディングが終了したディスククランプ状態すなわちディスクが再生部シャーシ２に支持されたターンテーブルとクランパにより挾持された状態を示しており、この状態でディスクが回転されて再生部シャーシ２に支持された光ピックアップにより再生される。
【００２４】
この実施例のスロットローディング機構の基本構成は、図３〜図１２で説明した従来例のスロットローディング機構におけるローディング開始位置を検出するマイクロスイッチ７（図１で図示していない）がレバー５により作動される位置に配置されていることを除いて同じであり、従来例と同一の機能を有する部材には同じ符号を付し、詳細な説明を省略する。
【００２５】
以下この発明の要部となる従来例と異なる部分を説明する。図１（ａ）および図２に示すように、再生部シャーシ２の上面２ｅには突起２ｇ、２ｇが形成され、その側面に上面２ｅと鋭角をなす当接面２ｄが形成されている。また、レバー５には再生部シャーシ２の上面２ｅと摺接するリブ５ｂと再生部シャーシ２の当接面２ｄと当接する当接面５ｃが形成されている。レバー４もレバー５と同様である。
【００２６】
図１に示すディスククランプ状態では引っ張りコイルばね９の弾力により当接面２ｄと当接面５ｃとが圧接状態となり、さらに、レバー５およびレバー４は再生部シャーシ２の当接面２ｄにより斜め下方方向の力が加えられる。この力によりレバー５のリブ５ｂは再生部シャーシ２の上面２ｅに圧接される。レバー４も同様である。
【００２７】
このようにレバー４およびレバー５は回動方向および上下方向にガタツカないように固定される。なお、再生部シャーシ２およびレバー４、５が樹脂製であるため、適度の弾力があり、レバー４およびレバー５は極めて安定した状態に固定されて振動による衝撃の発生が防止される。
【００２８】
再生部シャーシが弾性部材を介して本体シャーシに浮動状態に支持された車載用ディスク装置では、レバー４、５に振動が印加されやすく、また、振動による衝撃が再生部シャーシにより光ピックアップやターンテーブルに伝わりやすいため、レバー４およびレバー５が固定されてガタツキが抑えられる効果が特に大きくなる。
【図面の簡単な説明】
【００２９】
【図１】図１（ａ）はこの発明の実施例である車載用ディスク装置のスロットローディング機構を示す平面図、図１（ｂ）は図１（ａ）のＢ矢視図である。
【図２】図１（ｂ）のＡ部拡大図である。
【図３】従来の車載用ディスクプレーヤのスロットローディング機構の例を示す平面図である。
【図４】同スロットローディング機構を示す正面図である。
【図５】同スロットローディング機構の作用を説明するための平面図である。
【図６】図５の一部拡大図である。
【図７】図６に示す部分の正面図である。
【図８】同スロットローディング機構の作用を説明するための平面図である。
【図９】図８の一部拡大図である。
【図１０】同スロットローディング機構の作用を説明するための平面図である。
【図１１】同スロットローディング機構の作用を説明するための平面図である。
【図１２】図１１の一部拡大図である。
【符号の説明】
【００３０】
１  本体シャーシ
２  再生部シャーシ、２ａ  ガイド溝、２ｂ  凹み、２ｃ  軸、２ｄ  当接面
２ｅ  上面、２ｆ  ガイド溝、２ｇ  突起
３  プリント基板
４  レバー、４ａ  軸、４ｄ  リブ
５  レバー、５ａ  軸、５ｂ  リブ、５ｃ  当接面、５ｄ  リブ
６  連結部材
７  マイクロスイッチ
８  マイクロスイッチ
９  引張りコイルばね
１０  送りローラ
１１  ダンパー
１２  マイクロスイッチ作動部材、１２ａ  軸、１２ｂ  軸
１３  ８ｃｍＣＤ
１４  １２ｃｍＣＤ
【図１】
2007242101.tif 000003
【図２】
2007242101.tif 000004
【図３】
2007242101.tif 000005
【図４】
2007242101.tif 000006
【図５】
2007242101.tif 000007
【図６】
2007242101.tif 000008
【図７】
2007242101.tif 000009
【図８】
2007242101.tif 000010
【図９】
2007242101.tif 000011
【図１０】
2007242101.tif 000012
【図１１】
2007242101.tif 000013
【図１２】
2007242101.tif 000014